(57)【要約】【課題】天井には所定の間隔を置いて四方に延びる天井桟を吊設し、この天井桟の載置部に天井パネルの縁を載せて支持する天井と間仕切り装置の上端を連結する構造であって、天井レールを取付ける際に天井にキズを残さないようにした間仕切り装置上端と天井の連結構造の提供。【解決手段】天井桟４の載置部５には係合ツメ１０，１０を係合して連結金具８を取付けると共にこの連結金具８に天井レール３をネジ止めし、ここで該連結金具８はネジが螺合する下板９と載置部５に係合する為の係合ツメ１０，１０を下板９の対角線上に対を成して設け、しかも係合ツメ１０，１０の先端を上方へ延ばして天井桟４の連結部６にネジ止めされる止着片１５ａ，１５ｂを形成している。【選択図】        図１２
2004257108.tif 000002
【特許請求の範囲】
【請求項１】
天井には所定の間隔をおいて四方に延びる天井桟を吊設し、該天井桟の載置部に天井パネルの縁を載せて支持する該天井と間仕切り装置の上端を連結する構造において、上記載置部には係合ツメを係合して連結金具を取付けると共にこの連結金具に天井レールをネジ止めし、ここで該連結金具はネジが螺合する下板と載置部に係合する為の係合ツメを下板の対角線上に対を成して設けたことを特徴とする間仕切り装置上端と天井の連結構造。
【請求項２】
上記連結金具の下板中央にはネジが螺合するスリット穴を設けた請求項１記載の間仕切り装置上端と天井の連結構造。
【請求項３】
上記連結金具には、載置部を係合ツメとで挟み込む挟持板を備えた請求項１、又は請求項２記載の間仕切り装置上端と天井の連結構造。
【請求項４】
上記係合ツメの先端を垂直方向へ延ばして止着片を形成した請求項１、請求項２、又は請求項３記載の間仕切り装置上端と天井の連結構造。
【請求項５】
天井には所定の間隔をおいて四方に延びる天井桟を吊設し、該天井桟の載置部に天井パネルの縁を載せて支持し、そして天井桟と間仕切り装置の上端を連結する為の連結金具において、該連結金具は概略長方形底板の対角線上には載置部に係合する係合ツメを設け、該係合ツメの先端を垂直方向へ延ばして天井桟の連結部に当接する止着片を形成したことを特徴とする間仕切り装置上端と天井桟を連結する連結金具。
【発明の詳細な説明】
【０００１】
【発明の属する技術分野】
本発明は部屋の天井にキズを付けることなく、該天井と間仕切り装置の上端に設けている天井レールの連結構造に関するものである。
【０００２】
【従来の技術】
図１４は大きな部屋空間を仕切る間仕切り装置の縦断面を示しているが、その下端は床面に接し、上端は天井に達している。床面（イ）に固定した床レール（ロ）にはアジャスター（ハ）が配置され、このアジャスター（ハ）にて適当な高さに支持された巾木（ニ）にはパネル（ホ）、（ホ）が所定の間隔をおいて起立している。そしてパネル（ホ）、（ホ）の上端は天井パネル（ヘ）まで達し、天井パネル（ヘ）にネジ止めされた天井レール（ト）と該天井レール（ト）に取付けられたパネルガイド（チ）によって上端が支えられる。
【０００３】
両パネル（ホ）、（ホ）にて床から天井までの空間が仕切られるが、上記天井レール（ト）は天井パネル（ヘ）を取付けている下地材（リ）にネジ止めされている。従って、該間仕切りを解体して取外すならば、天井パネル（ヘ）にはネジ穴が残り、天井パネル（ヘ）も交換しなくてはならなくなる。
【０００４】
又、天井には照明器具が存在し、空調の吹き出し口、及びスプリンクラー等が設けられている。このような空間を仕切る為に上記間仕切り装置を据え付ける場合、これら照明器具、空調の吹き出し口等に該間仕切り装置が当る場合が発生するが、従来の天井構造ではこれらの設備を簡単に移動することは困難である。しかし、近年ではシステム天井が開発されて、上記設備の配置交換が比較的自由に出来る構造と成っている。
【０００５】
図１５はこのシステム天井に間仕切り装置の天井レール（ト）を取付けている場合を示している。天井には天井桟（ヌ）が所定の間隔をおいて四方に延びていて、この天井桟（ヌ）に天井パネル（ヘ）の縁が載って支持されている。そして、間仕切り装置の天井レール（ト）は上記天井桟（ヌ）にネジ止めにて固定されている。しかし、この場合にも天井レール（ト）をネジ止めすることで天井桟（ヌ）にネジ穴が加工され、間仕切り装置を解体して取外すならば該天井桟（ヌ）にはネジ穴が残ってしまう。
【０００６】
【発明が解決しようとする課題】
このように従来の天井には上記のごとき問題がある。本発明が解決しようとする課題はこれら問題点であり、照明器具、空調の吹き出し口、スプリンクラー等の取付け・変更が簡単に出来るシステム天井を対象とし、間仕切り装置の天井レールを取付ける際に該天井にキズを残さない間仕切り装置上端の連結構造、及び天井レールを固定する連結金具を提供する。
【０００７】
【課題を解決する為の手段】
本発明は大きな部屋空間を仕切る為に間仕切り装置を据え付ける場合、上端の天井レールを天井にネジ止め固定する際にキズが付かないようにした天井との連結構造である。本発明が対象とする天井構造はシステム天井を対象とし、一定間隔にて天井桟が四方に延びて設けられ、この天井桟に天井パネルの縁が載って支持されている。
【０００８】
そして、天井レールは天井パネルの縁が載って支持される天井桟に直接ネジ止めされることなく天井桟に連結金具を取着し、該連結金具に天井レールがネジ止めされる。ここで、連結金具とは必ずしも金属製に限定しないことにする。従って、天井桟にはネジ穴が加工されることはなく、間仕切り装置を解体して取外しても跡は残らない。
【０００９】
ところで、上記連結金具は既存の天井に取着出来る形態でなくてはならず、すなわち天井の据付け工事と同時に行なう必要がないように構成している。そこで連結金具はワンタッチで取着出来るように、概略長方形下板の対角線方向に対を成す係合ツメを設け、天井桟に嵌めると共に回転することで両係合ツメは天井桟の載置部を抱くように係合する。
【００１０】
そして係合ツメの先端を垂直に屈曲して止着片を延ばしている。該止着片は両係合ツメに設ける場合と片方の係合ツメに設ける場合があるが、止着片は天井桟に係止して連結金具が動かないように定位置に取着される。止着片は必要に応じて天井桟にネジ止めされ、又天井桟に形成した係合凸部に係合して位置ズレ防止が図られる。以下、本発明に係る実施例を図面に基づいて詳細に説明する。
【００１１】
【実施例】
図１は間仕切り装置と天井との連結構造の縦断面を示している実施例である。同図の１は天井パネル、２は間仕切りパネル、３は天井レール、４は天井桟をそれぞれ示している。天上桟４は図２に示すようにコ型断面の載置部５と連結部６及び吊設部７から成る長尺材であり、この天井桟４，４…が天井に一定間隔をおいて四方に延びている。そして該天井桟４，４…の所々はハンガーによって吊下げられている。
【００１２】
ところで、本発明は天井桟４と同じ位置に間仕切り装置が据付けられているが、間仕切りパネル２，２の上端を位置決めすると共に天井パネル１との間の隙間をカバーする為の天井レール３が上記天井桟４に取付けられいる。しかし、本発明では、天井桟４に天井レール３を直接取付けることなく、連結金具８を介して取り付けている。
【００１３】
すなわち、天井桟４のコ型載置部５に連結金具８を係合し、この連結金具８に天井レール３をネジ止めした構造である。連結金具８は間仕切り装置を据え付ける際に必要な位置に取付けし、間仕切り装置を解体して取外す時には該連結金具８も載置部５から外すことが出来る。従って、天井レール３を取付けるに際して、載置部５にネジ穴を加工する必要はなく、間仕切り装置を解体して外してもキズ跡は残らない。
【００１４】
ところで、上記連結金具８とは図３に示すような形状をしている。概略長方形の下板９の中央には細長いスリット穴１１を有し、そして対角線方向には概略Ｌ型をした係合ツメ１０ａ，１０ｂを起立している。そこで、図４（ａ）に示すように両係合ツメ１０ａ，１０ｂ間に載置部５を嵌めて下板９を該載置部５に押し当て、その状態で矢印方向に回転する。両係合ツメ１０ａ，１０ｂは（ｂ）に示すごとく載置部５を抱くように係合し、下板９は載置部５と同一方向を向いて取付けられる。
【００１５】
天井レール３は下板９の中央に設けているスリット穴１１にネジが螺合して取付けられ、同じ右回転するネジを該スリット穴１１に螺合して締付けても連結金具８の係合ツメ１０ａ，１０ｂが載置部５から外れることはない。
【００１６】
図５〜図８は本発明に係る連結構造を示している他の実施例である。この連結構造は前記実施例と同じであり、天井桟の載置部には連結金具を係合して取付け、この連結金具に間仕切り装置の天井レールがネジ止めされている。連結金具は載置部に載っている天井パネルの縁を押上げて該載置部に取付され、間仕切り装置を解体して取外す時には、連結金具も載置部から外される。
【００１７】
各実施例で使用される連結金具の形態はそれぞれ多少異なり、図５に示している実施例の場合には図９に示す連結金具が使用される。この天井桟１２の載置部は細長い板材で構成され、この載置部を挟み込む為の挟持板１３ａ，１３ｂを別に設け、係合ツメ１０ａ，１０ｂと上記挟持板１３ａ，１３ｂとで載置部を挟んで取付けている。下板９は載置部に接しておらず、スリット穴１１にはネジが螺合して天井レール３が取付けられている。
【００１８】
又図１０に示している連結金具は図８に示す実施例の天井桟の載置部に取付けられる。それぞれの形状は多少違っているが、基本的構成は同じであり、対を成す係合ツメ１０ａ，１０ｂを有し、両係合ツメ１０ａ，１０ｂが載地部に係合して取付けられる。
【００１９】
図１１は本発明に係る連結金具を示す別の実施例である。前記図３、図９、図１０に示す係合ツメ１０ａ，１０ｂは載置部５の上面１４，１４に係合して取付けられる。この場合、載置部５を抱かかえた係合ツメ１０ａ，１０ｂは天井桟４の長手方向に沿って移動する場合がある。すなわち、係合ツメ１０ａ，１０ｂは載置部５を単に抱かかえただけの状態であり、例えば、地震で横揺れが発生した際、連結金具８を定位置に固定する取付け構造となっていない。
【００２０】
そこで、上記係合ツメ１０ａ，１０ｂの先端を垂直方向へ延ばして止着片１５ａ，１５ｂを形成することが出来る。そして、止着片１５ａ，１５ｂの先端部にはネジが挿通する穴１６ａ，１６ｂを貫通して設けている。そこで、該連結金具を天井桟４に取付ける場合には、前記図４に示したように両係合ツメ１０ａ，１０ｂ間に載置部５を嵌めて下板９を該載置部５に押し当て、その状態で回転する。両係合ツメ１０ａ，１０ｂは載置部５を抱くように係合し、下板９は載置部５と同一方向を向いて取付けられる。そして、止着片１５ａ，１５ｂは連結部６に当接して挟み込むことに成る。
【００２１】
図１２は天井桟４に連結金具８を介して天井レールが取付けられている場合を示している。全体構造は前記図１の取付け形態と同じであって、連結金具８の両係合ツメ１０ａ，１０ｂは天井桟４の載置部５を抱かかえて係合し、そして上方延びる止着片１５ａ，１５ｂは連結部６に面してネジ止めされている。そして、該連結金具８に天井レール３がネジ止めされると共に、間仕切り装置が該天井レール３に連結されているが、連結金具８が固定されることにより、間仕切り装置は位置ズレすることなく安定する。
【００２２】
ここで、止着片１５ａ，１５ｂは少なくとも何れか片方をネジ止めすればよく、天井レール３を吊設する為に下方へ作用する荷重は係合ツメ１０ａ，１０ｂにて負担される。そして止着片１５ａ，１５ｂが連結部６にネジ止めされることで、連結金具８は天井桟４に沿って移動することが出来なくなる。図１３は連結金具８を天井桟４に取付ける別形態を示している。
【００２３】
連結金具８の形状は図１１に示すものであるが、止着片１５ａ，１５ｂはネジ止めされていない。その代わり、天井桟４の連結部６を絞り加工して凸部１７を形成している。止着片１５ａ，１５ｂはこの凸部１７に係止することで、天井桟４に沿って移動することは出来ない。ここで、止着片１５ａ，１５ｂは、連結金具８が天井桟４に取付けられた場合、連結部６にバネ力を付勢して密着した状態である事が必要である。
【００２４】
この連結金具は前記図３に示した係合ツメ１０ａ，１０ｂを延ばして止着片１５ａ，１５ｂを形成している。同じく、前記図９、図１０に示した連結金具の係合ツメ１０ａ，１０ｂの先端を延ばして止着片を形成することが出来る。
以上述べたように、本発明に係る間仕切り装置と天井の連結構造は、天井桟の載置部に連結金具を取付け、この連結金具に天井レールをネジ止めしたものであり、次のような効果を得ることが出来る。
【００２５】
【発明の効果】
本発明の間仕切り装置はその天井レールを天井桟の載置部に係合した連結金具にネジ止めすることが出来る。そして該連結金具は対を成す係合ツメを有し、両係合ツメを載置部に係合することで簡単に取付出来る。従って、間仕切り装置を据付しても、天井に直接ネジ止めする必要がなく、間仕切り装置を解体して取外した場合には、ネジ跡は残らない。
【００２６】
そして上記連結金具に設けている係合ツメは、天井桟の載置部に係合するが、連結金具を金属製とするならばバネ力の作用でガタ付くことなく安定した取付が可能となり、間仕切り装置の上端となる天井レールは位置ズレなく取着され得る。そして、連結金具の係合ツメの先端を垂直方向へ延ばして止着片を形成し、連結金具を取付けることで止着片は天井桟の連結部に面してネジ止めなどで固定するならば、該天井桟に沿って連結金具が移動することはなく、ひいては間仕切り装置の位置ズレを防止することが出来る。
【図面の簡単な説明】
【図１】本発明に係る間仕切り装置と天井の連結構造。
【図２】天井桟の実施例。
【図３】天井桟の載置部に取付られる連結金具。
【図４】連結金具を載置部に取付ける行程。
【図５】本発明に係る間仕切り装置と天井の連結構造。
【図６】本発明に係る間仕切り装置と天井の連結構造。
【図７】本発明に係る間仕切り装置と天井の連結構造。
【図８】本発明に係る間仕切り装置と天井の連結構造。
【図９】天井桟の載置部に取付られる連結金具。
【図１０】天井桟の載置部に取付られる連結金具。
【図１１】止着片を設けた連結金具。
【図１２】本発明に係る間仕切り装置と天井の連結構造。
【図１３】本発明に係る間仕切り装置と天井の連結構造。
【図１４】従来の間仕切り装置と天井の連結構造。
【図１５】従来の間仕切り装置と天井の連結構造。
【符号の説明】
１  天井パネル
２  間仕切りパネル
３  天井レール
４  天井桟
５  載置部
６  連結部
７  吊設部
８  連結金具
９  下板
１０  係合ツメ
１１  スリット穴
１２  天井桟
１３  挟持板
１４  上面
１５  止着片
１６  穴
１７  凸部
【図１】
2004257108.tif 000003
【図２】
2004257108.tif 000004
【図３】
2004257108.tif 000005
【図４】
2004257108.tif 000006
【図５】
2004257108.tif 000007
【図６】
2004257108.tif 000008
【図７】
2004257108.tif 000009
【図８】
2004257108.tif 000010
【図９】
2004257108.tif 000011
【図１０】
2004257108.tif 000012
【図１１】
2004257108.tif 000013
【図１２】
2004257108.tif 000014
【図１３】
2004257108.tif 000015
【図１４】
2004257108.tif 000016
【図１５】
2004257108.tif 000017